(57)【要約】【課題】１つの光源からの光を容易に左右の２箇所の傾斜反射面から出射させることによって、疑似光源が存在するようにして照明することができ、少ない光源でより多くの商品見本を照明する商品見本光源ユニットおよび当該商品見本光源ユニットを用いた自動販売機を提供する。【解決手段】  見本収納部に配置する複数の商品見本の上面および／または下面に対向する第１の表面を備えた導光体と、前記第１の表面と反対側の第２の表面側に設けた半導体発光素子光源とで商品見本光源ユニットを構成する。導光体の光源と反対側の表面には断面Ｖ字状のＶ溝が形成され、反対側の表面の端面側には、傾斜溝が形成されている。光源はＶ溝が形成された位置に対応して配置する。【選択図】  図２
2013117786.tif 000002
【特許請求の範囲】
【請求項１】
透光性のカバーで覆われた見本収納部を備えた前面を備え、
前記見本収納部には、当該見本収納部に配置する複数の商品見本の上面および／または下面に対向する第１の表面を備えた導光体と、前記第１の表面と反対側の第２の表面側に設けた半導体発光素子光源とを有する商品見本光源ユニットであって、
前記導光体は、透光性の樹脂材料により形成された板状部材からなり、
前記第１の表面側には、断面Ｖ字状のＶ溝が形成され、
前記第２の表面側には、前記Ｖ溝から離間して第１傾斜溝および第２傾斜溝が形成されており、
前記光源は、前記Ｖ溝が形成された位置に対応して配置され、
前記Ｖ溝の中心は、前記光源から照射する光の強度が最大域となる照射方向の中心軸と一致し、
前記Ｖ溝の傾斜面は、Ｖ溝中心付近の中心側傾斜領域と前記第１な表面側傾斜領域からなり、当該中心側傾斜領域は前記光源表面と中心軸との交点から出射した光に対して臨界角を超えない角度とした透過面とされ、当該第１表面側傾斜領域は前記光源表面と中心軸との交点から出射した光に対して臨界角を超える角度とした全反射面とされており、
前記第１傾斜溝および第２傾斜溝の夫々には、前記第２表面側から前記第１表面側に向かって次第に前記中心軸から遠ざかる傾斜反射面が形成されている、
ことを特徴とする商品見本光源ユニット。
【請求項２】
前記Ｖ溝と第１傾斜溝の間の第１平坦部および前記Ｖ溝と第２傾斜溝の間の第２平坦部の夫々は、第１表面と第２表面との間の厚みが、Ｖ溝から離れるに従って薄くなるように形成されている、
ことを特徴とする請求項１に記載の商品見本光源ユニット。
【請求項３】
前記請求項１または請求項２に記載の商品見本光源ユニットを備えた自動販売機。
【発明の詳細な説明】
【技術分野】
【０００１】
本発明は商品見本、特に自動販売機の商品見本を照明する光源ユニットに関する。
【背景技術】
【０００２】
現在、缶入り飲料などの自動販売機では省エネルギーが求められている。自動販売機においてディスプレイされている商品見本の照明装置においても、光源の省エネルギー化として蛍光灯に代わってＬＥＤ（発光ダイオード）が実用化されている。
【０００３】
ＬＥＤを照明装置の光源として用いた自動販売機として、例えば特許文献１がある。特許文献１の自動販売機の切換え表示装置では、商品見本の表示の切換えを行う光源の光を商品見本の照明にも用いている。
【先行技術文献】
【特許文献】
【０００４】
【特許文献１】特開２００７−１８３８５３号公報
【発明の概要】
【発明が解決しようとする課題】
【０００５】
しかしながら、特許文献１に開示れた自動販売機において、光源として使用するＬＥＤは、切換え表示装置の光源であるため、商品見本を効果的に照明することが難しかった。また、商品見本の夫々に切換え表示を設置し、各々の表示切替を個別に制御するため、商品見本毎に光源を設けなければならず、ＬＥＤ光源の使用数を減少することが難しかった。
【０００６】
そこで、本発明は、簡単な構成により、ＬＥＤの使用数を減じた照明装置および当該照明装置を用いた自動販売機を提供することを目的とする。
【課題を解決するための手段】
【０００７】
上記課題を解決するため、請求項１に記載の商品見本光源ユニットは、
透光性のカバーで覆われた見本収納部を備えた前面を備え、
前記見本収納部には、当該見本収納部に配置する複数の商品見本の上面および／または下面に対向する第１の表面を備えた導光体と、前記第１の表面と反対側の第２の表面側に設けた半導体発光素子光源とを有する商品見本光源ユニットであって、
前記導光体は、透光性の樹脂材料により形成された板状部材からなり、
前記第１の表面側には、断面Ｖ字状のＶ溝が形成され、
前記第２の表面側には、前記Ｖ溝から離間して第１傾斜溝および第２傾斜溝が形成されており、
前記光源は、前記Ｖ溝が形成された位置に対応して配置され、
前記Ｖ溝の中心は、前記光源から照射する光の強度が最大域となる照射方向の中心軸と一致し、
前記Ｖ溝の傾斜面は、Ｖ溝中心付近の中心側傾斜領域と前記第１な表面側傾斜領域からなり、当該中心側傾斜領域は前記光源表面と中心軸との交点から出射した光に対して臨界角を超えない角度とした透過面とされ、当該第１表面側傾斜領域は前記光源表面と中心軸との交点から出射した光に対して臨界角を超える角度とした全反射面とされており、
前記第１傾斜溝および第２傾斜溝の夫々には、前記第２表面側から前記第１表面側に向かって次第に前記中心軸から遠ざかる傾斜反射面が形成されている、
ことを特徴とする。
【０００８】
請求項２に記載の発明は、請求項１に記載の発明において、
前記Ｖ溝と第１傾斜溝の間の第１平坦部および前記Ｖ溝と第２傾斜溝の間の第２平坦部の夫々は、第１表面と第２表面との間の厚みが、Ｖ溝から離れるに従って薄くなるように形成されている、
ことを特徴とする。
【０００９】
請求項３に記載の自動販売機は、請求項１または請求項２に記載の商品見本光源ユニットを備えていることを特徴とする。
【００１０】
請求項１に記載の発明によれば、簡単な構成により、一つの光源にて複数の箇所から商品見本を照明する照明装置を提供することができる。
【００１１】
請求項２に記載の発明によれば、さらに、商品見本を照明したときに生じる影を目立たなくすることができる。
【００１２】
請求項３に記載の発明によれば、省エネルギーの自動販売機を提供することができる。
【発明の効果】
【００１３】
本発明によれば、簡単な構成により、ＬＥＤの使用数を減じた照明装置および当該照明装置を用いた自動販売機を提供することが可能となる。
【図面の簡単な説明】
【００１４】
【図１】本発明の一実施形態である自動販売機を示す概略斜視図である。
【図２】図１に示した自動販売機の商品見本表示用光源を示す概略断面図である。
【図３】図２に示した商品見本表示用光源の一部拡大断面図である。
【図４】本発明で用いるＬＥＤの配光特性を示す図である。
【図５】図１に示した自動販売機の商品見本表示用光源の他の実施の形態を示す概略断面図である。
【発明を実施するための形態】
【００１５】
以下、本発明の一実施形態である商品見本光源ユニットを設けた自動販売機について図面を参照しながら説明する。
【００１６】
（第１の実施の形態）
図１は、本発明の一実施形態である自動販売機を示す概略斜視図である。図２は、図１に示した自動販売機の商品見本表示用光源を示す概略断面図である。図３は、図２に示した商品見本表示用光源の一部拡大断面図である。
【００１７】
本実施形態の商品見本光源ユニット１００は、自動販売機２００に搭載され当該自動販売機で販売される商品見本を展示するディスプレイ部２１０に設けられ、商品見本を照明する。商品見本光源ユニット１００は、光源３３と導光体３０とを備え、当該光源３３から出射した光を導光体３０内に入光し、導光体３０内を通って複数の出光部から出射して商品見本を照明する。
【００１８】
光源３３は、発光ダイオード（以下、ＬＥＤと略す）などの半導体発光素子光源を用いることが好ましい。さらに好ましくは、光源の配光特性がランバーシアンであり、その配光特性における最大強度と光源の光軸Ｚが一致する光軸を中心とした対照形状の配光特性となるように樹脂モールドされた面実装型のＬＥＤが好適である。ＬＥＤを用いることで消費電力を低減することができる。ランバーシアンな配光特性とした樹脂モールドされたＬＥＤを用いることで、当該ＬＥＤから照射される光の殆どを導光体３０に入光させると共に、その光の減衰量を多くすることなく利用することができ光の利用効率を高めることができるからである。なお、消費電力は大きくなるが、ミニハロゲン電球やクリプトン電球などの電球や、放電灯光源とすることもでき、光源３３にレンズ体や反射鏡を設けるなどして所望の配光特性が得られるようにした光源としても良い。光源３３はプリント基板、セラミック基板、金属基板などの平板形状の基板５６上に搭載される。
【００１９】
導光体３０は、透光性の樹脂材料により形成された板状部材からなる。図２に示す断面形状を紙面前後方向に平行移動して得られる略矩形の形状からなり、側面形状と断面形状が一致する。その材質としては、アクリル樹脂が光の透過性、成形再現性、加工性、量産性などを考慮すると好適である。他にポリカーボネート樹脂、塩化ビニール樹脂、ポリエチレンテフタレート樹脂、ポリスチレン樹脂、オレフィン系樹脂などが挙げられる。
【００２０】
導光体３０は前記光源３３側の第１の表面３１と、第１の表面３１と反対側の第２の表面３２を備え、第１の表面３１側から入光し、第２の表面３２側から出光する。図２および図３に示すように、第２の表面３２側の長手方向中央には、Ｖ溝３４が形成され、Ｖ溝以外の第２の表面３２は平坦面とされている。
【００２１】
Ｖ溝３４は導光体３０の長手方向のほぼ中心に長手方向と直交するように形成され、Ｖ溝３４の中心４３と光源３３の中心軸が一致するようにＶ溝３４に対向して光源３３を光源収納凹部５４内に配設する。
【００２２】
第１の表面３１側には凹部が形成されている。凹部は光源収納凹部５４と光源収納凹部５４の両端側に設けた反射面用凹部５５（５５ａ、５５ｂ）からなる。反射面用凹部５５には第１表面側傾斜領域４６が位置する。
【００２３】
Ｖ溝３４を中心にして図２に示したように第１平坦部５１（紙面左側）と、第２平坦部（紙面右側）が線対照形状に形成される。
第１平坦部５１には、一方のＶ溝傾斜面４１と、第１の表面３１と、第１の表面３１と平行な第２表面３２と、一方のＶ溝傾斜面４１と平行な傾斜反射面５３ａが形成されている。
同様に第２平坦部５２には、他方のＶ溝傾斜面４２と、第１の表面３１と、第１の表面３１と平行な第２表面３２と、他方のＶ溝傾斜面４２と平行な傾斜反射面５３ｂが形成されている。
【００２４】
光源３３は面実装型のＬＥＤであり図４に示すようなランバーシアンの配光特性を示す。光源３３から放射した光の殆どは第１の表面３１から導光体３０内に入射する。ＬＥＤ光源３３から照射する光が最大強度となる領域に光軸Ｚを備える。光源３３の出射方向前方に位置するＶ溝傾斜面４１，４２に入射した光は、Ｖ溝傾斜面４１，４２にて反射する。Ｖ溝傾斜面４１，４２は導光体３０と空気層との屈折率差を利用した全反射面とする。また、光源３３から出射する光のうち、光強度が約７０％以上の光がＶ溝傾斜面４１，４２に入射するように形成されている。
【００２５】
Ｖ溝傾斜面４１にて反射した光は、第１平坦部５１内を通って傾斜反射面５３に向かい、傾斜反射面５３にて反射して第２の表面３２から導光体３０の外方に出射する。また、Ｖ溝傾斜面４１にて反射した光の一部および第２の表面にて反射した光の一部は第１の表面３１にて一部が反射し、傾斜反射面５３または導光体の第１の表面３１にて反射した後に導光体３０の外方に出射する。図２の符号Ｌ１およびＬ２はこの光線を示している。
【００２６】
これにより光源３３から出射した光が光源３３から離間した傾斜反射面５３ａ，５３ｂの位置から出射し、２つの擬似光源が存在するように照射する。同時にＶ溝３４と傾斜反射面５３（５３ａ、５３ｂ）の間の第２の表面からも弱い光が出射する。
【００２７】
商品見本光源ユニット１００はこのように構成されており、第２の表面側に配置された商品見本２３０を照明する。商品見本２３０は、反射面用凹部５５に対応する位置に配置するのが好ましい。反射面用凹部５５に対応する位置から出射する光強度が強いからである。また、このように配置すると、１つの光源３３にて２つの商品見本２３０を照射することができる。図１では２個の商品見本２３０に対して１個の商品見本光源ユニット１００を配設している。また、商品見本２３０をＶ溝４４と傾斜反射面５３の間の第２の表面から出射する光によっても照射する。これにより、商品見本により生じる影を見えにくくすることができる。従って、商品見本を少ない光源にて照明することができ、省エネルギーとすることができる。全体を薄型化を図ることができる。
【００２８】
また、反射面用凹部５５に対応する位置に配置された商品見本２３０は、Ｖ溝３４と傾斜反射面５３の間の第１平坦面５１および第２平坦面の夫々の第２の表面３２から出射する光によっても照射される。図３の符号Ｌ３はこのＶ溝３４と傾斜反射面５３の間の平坦面部分から照射する光線を示している。光線Ｌ３は光線Ｌ１およびＬ２に比べて照度の低い光となる。光線Ｌ３は、第１平坦部５１または第２平坦部５２の導光体内部を進行する際に生じる屈折光を主成分とし、主に半導体発光素子光源３３から中心軸ＡＸに対して斜めに拡がる方向に進行し、光線Ｌ３が反射面用凹部５５に対応する位置に配置された商品見本に向かって照射するからである。これにより商品見本２３０の直上または直下からの照明のみでなく、斜め方向からも照射することができ、商品見本２３０の照明による演出効果を高めることができる。
【００２９】
（第２の実施の形態）
次に第２の実施形態について説明する。図１に示した自動販売機の商品見本表示用光源の別の実施形態を示す概略断面図である。図５において前述した実施形態と同一の構成については図２と同一の符号を付し、ここでの詳細な説明を省略する。
【００３０】
第２の実施の形態の商品見本光源ユニット１１０も、光源３３と導光体１３０とを備え、当該光源３３から出射した光を導光体１３０内に入光し、導光体１３０内を通って複数の出光部から出射して商品見本を照明する。
【００３１】
導光体１３０は前記光源３３側の第１の表面１３１と、第１の表面１３１と反対側の第２の表面３２を備え、第１の表面１３１側から入光し、第２の表面３２側から出光する。図３に示すように、第２の表面３２側の長手方向中央には、Ｖ溝３４が形成され、Ｖ溝以外の第２の表面３２は平坦面とされている。
【００３２】
Ｖ溝３４は導光体１３０の長手方向のほぼ中心に長手方向と直交するように形成され、Ｖ溝３４の中心４３と光源３３の中心軸が一致するように配設される。
【００３３】
第１の表面１３１側には図示しない隙間を介して外部雰囲気と連なった空気層となる凹部が形成されている。凹部は光源収納凹部１５４と光源収納凹部１５４の両端側に設けた反射面用凹部１５５からなる。光源収納凹部１５４内のＶ溝３４に対向する位置に第１の表面３１と離間して光源３３を配設する。反射面用凹部１５５（１５５ａ、１５５ｂ）には第１表面側傾斜領域４６が位置し、第１表面側傾斜領域４６は全反射面として機能する。
【００３４】
第１の表面１３１は先の実施の形態と異なる。先の実施の形態においては第１の表面３１は第２の表面３２と平行としてたが、第２の実施の形態においては中心軸ＺからＶ溝３４端部までの距離の約２倍離れた位置近傍から第１の表面３１側に向かって傾斜する傾斜接続面１４７となっている。第１表面側傾斜領域４６は先の実施の形態に比べて小面積としている。
【００３５】
より具体的には、第１の傾斜表面１３１は、Ｖ溝３４と第１傾斜溝５５ａの間の第１平坦部５１および前記Ｖ溝３４と第２傾斜溝５５ｂの間の第２平坦部５２の夫々は、第１表面と第２表面との間の厚みが、Ｖ溝から離れるに従って薄くなるように形成されている。具体的には、Ｖ溝中心４３から溝と第２の表面３２の交線までの距離の２倍から３倍の間の領域においては第１の表面１３１と第２の表面３２とを平行とし、それよりも離れた第１の表面１３１においては、次第に厚みを薄くする傾斜接続面１４７としている。傾斜接続面１４７と第１傾斜溝５５ａ（第２傾斜溝５５ｂ）が接する箇所における導光体１３１の厚みは、Ｖ溝中心４３の深さの約１／２に相当する厚みとしている。
【００３６】
商品見本光源ユニット１１０は、このように構成されており、第２の表面側に配置された商品見本を照明する。商品見本は、反射面用凹部５５に対応する位置に配置するのが好ましい。反射面用凹部５５に対応する位置から出射する光強度が強いからである。すなわち、２箇所の傾斜反射面５３，５３からの出射光に対応する位置に商品見本が配置されるように第１平坦部５１および第２平坦部５２の長さおよび／または商品見本の設置位置が設定される。このように配置すると、１つの光源３３にて２つの商品見本を照射することができる。従って、商品見本を少ない光源にて照明することができ、省エネルギーとすることができる。
【００３７】
また、反射面用凹部５５に対応する位置に配置された商品見本は、Ｖ溝３４と傾斜反射面５３の間の第１平坦面５１および第２平坦面の夫々の第２の表面３２から出射する光によっても照射される。図５の符号Ｌ１３はこのＶ溝３４と傾斜反射面５３の間の平坦面部分から照射する光線を示している。光線Ｌ１３は光線Ｌ１およびＬ２に比べて照度の低い光となる。光線Ｌ１３は、第１平坦部５１または第２平坦部５２の導光体内部を進行する際に生じる屈折光を主成分とし、主に半導体発光素子光源３３から中心軸Ｚに対して斜めに拡がる方向に進行し、光線Ｌ１３が反射面用凹部５５に対応する位置に配置された商品見本に向かって照射するからである。これにより商品見本の直上または直下からの照明のみでなく、斜め方向からも照射することができ、商品見本の照明による演出効果を高めることができる。また、商品見本を照明したときに生じる影を目立たなくすることができる。
また、光線Ｌ１３は第１の実施の形態の光線Ｌ３に比べて光量が多くなっている。
【００３８】
導光体３０（１３０）は断面形状を同一としているので、複数をまとめて一体に成型し、一体成型品を切断して任意の大きさの導光体とすることもできる。このように製造することで、製造コストを低減することができる。
【００３９】
上記実施形態はあらゆる点で単なる例示にすぎない。これらの記載によって本発明は限定的に解釈されるものではない。商品見本２３０は図１では商品見本の下側に設けたが商品見本の上側に設けて、商品見本と対向するように設けても良い。本発明はその精神または主要な特徴から逸脱することなく他の様々な形で実施することができる。
【産業上の利用可能性】
【００４０】
１つの光源からの光を容易に左右の２箇所の傾斜反射面から出射させることによって、疑似光源が存在するようにして照明することができ、少ない光源でより多くの商品見本を照明する用途にも適用できる。
【符号の説明】
【００４１】
３０，１３０    導光体
３１，１３１    第１の表面
３２    第２の表面
３３    半導体発光素子光源
３４    Ｖ溝
４１，４２    Ｖ溝傾斜溝
４２    第２傾斜溝
４３    Ｖ溝中心
５１    第１平坦部
５２    第２平坦部
５３    傾斜反射面
５４    光源収納凹部
５５    反射面用凹部
５６    基板
１００，１１０    商品見本光源ユニット
２００    自動販売機
２１０    ディスプレイ部
２３０    商品見本
【図１】
2013117786.tif 000003
【図２】
2013117786.tif 000004
【図３】
2013117786.tif 000005
【図４】
2013117786.tif 000006
【図５】
2013117786.tif 000007